(57)【要約】      （修正有）【課題】電力供給遮断時に自動的に復位を行なう開閉装置の復位構造を提供する。【解決手段】本体１１上方に収容台１２が設けられている台座１０と、右盤部２１を有し、右盤部の左端面から第１の塊部２３が伸びており、第１の歯合部２３１が形成されている右作動部２０と、左盤部３１の右端面から第２の塊部３３が伸びており、第２の歯合部３３１が形成されている左作動部３０と、左端面に若干の第１の弾性部材４２が設置されている右蓋４０と、右端面に若干の弾性部材５２が設置されている左蓋５０と、下端に接続部６１が形成され、第１の歯合部および第２の歯合部と歯合している出力軸６０と、上端に上方にロッド部７１が突出しており、ロッド部７１に電磁石７２、固定円盤７４および可動円盤７５が設けられているモーター７０とからなる開閉装置の復位構造である。【選択図】図１
0003116719.tif 000002
【実用新案登録請求の範囲】
【請求項１】
台座と、右作動部と、左作動部と、右蓋と、左蓋と、出力軸と、モーターとからなる開閉装置の復位構造であって、
前記台座は、矩形の本体を有し、前記本体の上方には上部が開口状態である中空の収容台が設けられ、前記本体の右端面から左端面へ長軸方向に右孔、中孔および左孔が貫通されており、前記中孔の底部には突出した台座片が設けられ、前記右孔と左孔にはそれぞれ右軸受と左軸受が設けられ、前記本体の後端面上段には中孔と連通したねじ穴が貫通しており、前記収容台の底壁には中孔と連通した貫通孔が設けられており、前記台座片の上面からは前記貫通孔に対応し、本体の底面を貫通した下孔が設けられ、前記収容台の底壁には下部板が固定され、収容台の上面には上部板が固定され、収容台内部には減速歯車セットが設けられており、
前記右作動部は、右盤部を有し、前記右盤部の左端面前側部から軸方向に左に第１の塊部が伸びており、前記第１の塊部の後端面には第１の歯合部が形成され、前記右作動部が右から左に前記右軸受内に設置され、右盤部が右軸受の左段に位置させられ、
前記左作動部は、左盤部を有し、前記左盤部の右端面後側部から軸方向に右に第２の塊部が伸びており、前記第２の塊部の前端面には第２の歯合部が形成され、前記左作動部が左から右に前記左軸受内に設置され、左盤部が左軸受の右段に位置させられ、
前記右蓋は、前記本体の右側に固定され、前記右孔を封止し、前記右蓋と右作動部との間には決められた数量の第１の弾性部材が設けられ、前記第１の弾性部材の弾力によって右作動部を決められた位置において左方向に押圧し、
前記左蓋は、前記本体の左側に固定され、前記左孔を封止し、前記左蓋と左作動部との間には決められた数量の第２の弾性部材が設けられ、前記第２の弾性部材の弾力によって左作動部を決められた位置において右方向に押圧し、
前記出力軸は、下端に接合部が形成され、本体の下孔に枢設され、操作制御を行なうバルブまたはその他の開閉装置との接続に用いられ、前記接続部の上方には歯部が設けられ、第１の歯合部と第２の歯合部と歯合し、前記歯部の上方には第１のカムが設けられ、前記第１のカムの左側は長軸方向であり、右側は短軸方向であり、後側には第１の平面部が形成され、ボルトがねじ穴を貫通し、その端部が第１のカムの第１の平面部を固定し、出力軸の中段には歯車が設けられ、収容台内の減速歯車セットの最終の歯車と歯合し、出力軸の上段には第２のカムが設けられ、前記第２のカムの右後側には第２の平面部が設けられ、前記第２のカムの左後側には微動スイッチが設けられており、
前記モーターは、上部板の上方に固定され、モーター軸の下端は減速歯車セットの最初の歯車と歯合し、モーター軸の上端からは上方にロッド部が伸びており、前記ロッド部の下段には電磁石が固定され、前記電磁石中央にはばねが枢設され、前記ロッド部の上端には固定円盤が固定され、前記固定円盤上には間隔を空けて三つの孔が設けられ、ばねの上端には可動円盤が枢設され、前記可動円盤の上面には固定円盤の孔に対応した三本の突出ロッドが設けられ、前記突出ロッドはそれぞれ固定円盤の孔内に挿設されている
ことを特徴とする開閉装置の復位構造。
【請求項２】
前記右作動部の右盤部の右端面から軸方向に左に決められた数量の第１の盲穴が設けられ、前記右蓋の左端面から軸方向に右に前記右作動部の第１の盲穴に対応した第３の盲穴が設けられ、前記第１の弾性部材の右端は第３の盲穴内に定位され、左端は第１の盲穴内に定位され、
前記左作動部の左盤部の左端面から軸方向に右に決められた数量の第２の盲穴が設けられ、前記左蓋の右端面から軸方向に左に前記左作動部の第２の盲穴に対応した第４の盲穴が設けられ、前記第２の弾性部材の左端は第４の盲穴内に定位され、右端は第２の盲穴内に定位される
ことを特徴とする請求項１記載の開閉装置の復位構造。
【考案の詳細な説明】
【技術分野】
【０００１】
本考案はバルブ、ピストンまたはその他開閉装置の構造に関し、特に開閉装置の位置復位構造に関する。
【背景技術】
【０００２】
速度と便利さが追求され、電動開閉機能を有するバルブ体が開発され、ボールバルブ、バタフライバルブまたはその他の種類のバルブの制御に用いられている。
【０００３】
しかし、緊急事態が発生し、バルブの開閉を行なわなければならなくなったときに、電力供給が遮断されている場合、その状況で如何に即座にバルブの開閉を行なうかは業者および使用者にとって頭の痛い問題であり、使用者が手動方式によってバルブの操作を行ないたい場合でも、すでに現場に行ってバルブの開閉を行なうことができなくなっている可能性がある。
【考案の開示】
【考案が解決しようとする課題】
【０００４】
本考案の目的は、電力供給が遮断された状況の下、迅速に自動でバルブまたはピストンまたはその他開閉装置を復位できる構造を提供することにある。
【課題を解決するための手段】
【０００５】
上記課題を解決するために、請求項１の考案は、台座と、右作動部と、左作動部と、右蓋と、左蓋と、出力軸と、モーターとからなる開閉装置の復位構造であって、台座は、矩形の本体を有し、本体の上方には上部が開口状態である中空の収容台が設けられ、本体の右端面から左端面へ長軸方向に右孔、中孔および左孔が貫通されており、中孔の底部には突出した台座片が設けられ、右孔と左孔にはそれぞれ右軸受と左軸受が設けられ、本体の後端面上段には中孔と連通したねじ穴が貫通しており、収容台の底壁には中孔と連通した貫通孔が設けられており、台座片の上面からは貫通孔に対応し、本体の底面を貫通した下孔が設けられ、収容台の底壁には下部板が固定され、収容台の上面には上部板が固定され、収容台内部には減速歯車セットが設けられており、右作動部は、右盤部を有し、右盤部の左端面前側部から軸方向に左に第１の塊部が伸びており、第１の塊部の後端面には第１の歯合部が形成され、右作動部が右から左に右軸受内に設置され、右盤部が右軸受の左段に位置させられ、左作動部は、左盤部を有し、左盤部の右端面後側部から軸方向に右に第２の塊部が伸びており、第２の塊部の前端面には第２の歯合部が形成され、左作動部が左から右に左軸受内に設置され、左盤部が左軸受の右段に位置させられ、右蓋は、本体の右側に固定され、右孔を封止し、右蓋と右作動部との間には決められた数量の第１の弾性部材が設けられ、第１の弾性部材の弾力によって右作動部を決められた位置において左方向に押圧し、左蓋は、本体の左側に固定され、左孔を封止し、左蓋と左作動部との間には決められた数量の第２の弾性部材が設けられ、第２の弾性部材の弾力によって左作動部を決められた位置において右方向に押圧し、出力軸は、下端に接合部が形成され、本体の下孔に枢設され、操作制御を行なうバルブまたはその他の開閉装置との接続に用いられ、接続部の上方には歯部が設けられ、第１の歯合部と第２の歯合部と歯合し、歯部の上方には第１のカムが設けられ、第１のカムの左側は長軸方向であり、右側は短軸方向であり、後側には第１の平面部が形成され、ボルトがねじ穴を貫通し、その端部が第１のカムの第１の平面部を固定し、出力軸の中段には歯車が設けられ、収容台内の減速歯車セットの最終の歯車と歯合し、出力軸の上段には第２のカムが設けられ、第２のカムの右後側には第２の平面部が設けられ、第２のカムの左後側には微動スイッチが設けられており、モーターは、上部板の上方に固定され、モーター軸の下端は減速歯車セットの最初の歯車と歯合し、モーター軸の上端からは上方にロッド部が伸びており、ロッド部の下段には電磁石が固定され、電磁石中央にはばねが枢設され、ロッド部の上端には固定円盤が固定され、固定円盤上には間隔を空けて三つの孔が設けられ、ばねの上端には可動円盤が枢設され、可動円盤の上面には固定円盤の孔に対応した三本の突出ロッドが設けられ、突出ロッドはそれぞれ固定円盤の孔内に挿設されていることを特徴とする開閉装置の復位構造である。
【０００６】
請求項２の考案は、右作動部の右盤部の右端面から軸方向に左に決められた数量の第１の盲穴が設けられ、右蓋の左端面から軸方向に右に右作動部の第１の盲穴に対応した第３の盲穴が設けられ、第１の弾性部材の右端は第３の盲穴内に定位され、左端は第１の盲穴内に定位され、左作動部の左盤部の左端面から軸方向に右に決められた数量の第２の盲穴が設けられ、左蓋の右端面から軸方向に左に左作動部の第２の盲穴に対応した第４の盲穴が設けられ、第２の弾性部材の左端は第４の盲穴内に定位され、右端は第２の盲穴内に定位されることを特徴とする請求項１記載の開閉装置の復位構造である。
【考案の効果】
【０００７】
緊急事態となり、電力供給が遮断されたとき、電磁石は磁力を喪失し、ばねによって可動円盤は上方の元の位置に復位される。このとき、モーターと出力軸は固定状態から開放され、第１の弾性部材および第２の弾性部材はそれぞれ右作動部と左作動部とを元の位置に押し戻す。ボルト端部は再び第１のカムの第１の平面部上に固定され、出力軸は時計方向に９０度回転できるだけとなり、出力軸下端に接続されたバルブ、ピストンまたはその他開閉装置は元の状態に迅速に復位される。
【考案を実施するための最良の形態】
【０００８】
本考案は、台座１０と、右作動部２０と、左作動部３０と、右蓋４０と、左蓋５０と、出力軸６０と、モーター７０とからなる開閉装置の復位構造である。
【０００９】
台座１０は、矩形の本体１１を有し、本体１１の上方には上部が開口状態である中空の収容台１２が設けられ、本体１１の右端面から左端面へ長軸方向に右孔１１１、中孔１１２および左孔１１３が貫通されている。中孔１１２の底部には突出した台座片１１４が設けられている。右孔１１１と左孔１１３にはそれぞれ右軸受１１５と左軸受１１６が設けられている。本体１１の後端面上段には中孔１１２と連通したねじ穴１１７が貫通している。収容台１２の底壁には中孔１１２と連通した貫通孔１２１が設けられている。台座片１１４の上面からは貫通孔１２１に対応し、本体１１の底面を貫通した下孔１１８が設けられている。収容台１２の底壁には下部板１２２が固定され、収容台１２の上面には上部板１２３が固定され、収容台１２内部には減速歯車セット１２４が設けられている。
【００１０】
右作動部２０は、右盤部２１を有し、右盤部２１の右端面から軸方向に左に若干の第１の盲穴２２が設けられ、右盤部２１の左端面前側部から軸方向に左に第１の塊部２３が伸びている。第１の塊部２３の後端面には第１の歯合部２３１が形成されている。右盤部２１周囲には第１のリング溝２１１が設けられ、第１のリング溝２１１内には第１のＯリング２１２が設置され、右作動部２０を右から左に右軸受１１５内に設置し、右盤部２１を右軸受１１５の左段に位置させる。
【００１１】
左作動部３０は、左盤部３１を有し、左盤部３１の左端面から軸方向に右に若干の第２の盲穴３２が設けられ、左盤部３１の右端面後側部から軸方向に右に第２の塊部３３が伸びている。第２の塊部３３の前端面には第２の歯合部３３１が形成されている。左盤部３１周囲には第２のリング溝３１１が設けられ、第２のリング溝３１１内には第２のＯリング３１２が設置され、左作動部３１を左から右に左軸受１１６内に設置し、左盤部３１を左軸受１１６の右段に位置させる。
【００１２】
右蓋４０は、本体１１の右側に固定され、右孔１１１を封止している。右蓋４０の左端面から軸方向に右に右作動部２０の第１の盲穴２２に対応した第３の盲穴４１が設けられている。内部には第１の弾性部材４２が設けられ、第１の弾性部材４２にはばねが採用されている。その左段はそれぞれ右作動部２０の第１の盲孔２２内に進入しており、第１の弾性部材４２の弾力によって右作動部２０を決められた位置において左方向に押圧している。また、右蓋４０の左端には第１の円形凹溝４３が設けられ、第１の円形凹溝４３内には第３のＯリング４４が設置されている。
【００１３】
左蓋５０は、本体１１の左側に固定され、左孔１１３を封止している。左蓋５０の右端面から軸方向に左に左作動部３０の第２の盲穴３２に対応した第４の盲穴５１が設けられている。内部には第２の弾性部材５２が設けられ、第２の弾性部材５２にはばねが採用されている。その右段はそれぞれ左作動部３０の第２の盲孔３２内に進入しており、第２の弾性部材５２の弾力によって左作動部３０を決められた位置において右方向に押圧している。また、左蓋５０の右端には第２の円形凹溝５３が設けられ、第２の円形凹溝５３内には第４のＯリング５４が設置されている。
【００１４】
出力軸６０は、下端に接合部６１が形成され、本体１１の下孔１１８に枢設され、操作制御を行なうバルブまたはその他の開閉装置との接続に用いられる。接続部６１の上方には歯部６２が設けられ、第１の歯合部２３１と第２の歯合部３３１と歯合している。歯部６２の上方には第１のカム６３が設けられ、第１のカム６３の左側は長軸方向であり、右側は短軸方向であり、後側には第１の平面部６３１が形成されている。ボルト６４がねじ穴１１７を貫通した後、図７に示すように、その端部が第１のカム６３の第１の平面部６３１の最も左側を固定する。出力軸６０の中段には歯車６５が設けられ、収容台１２内の減速歯車セット１２４の最終の歯車と歯合する。出力軸６０の上段には第２のカム６６が設けられ、第２のカム６６の右後側には第２の平面部６６１が設けられ、第２のカム６６の左後側には微動スイッチ６７が設けられている。
【００１５】
モーター７０は、上部板１２３の上方に固定され、モーター軸の下端は減速歯車セット１２４の最初の歯車と歯合し、モーター軸の上端からは上方にロッド部７１が伸びている。ロッド部７１の下段には電磁石７２が固定され、電磁石７２中央にはばね７３が枢設されている。ロッド部７１の上端には固定円盤７４が固定され、固定円盤７４上には間隔を空けて三つの孔７４１が設けられている。ばね７３の上端には可動円盤７５が枢設され、可動円盤７５の上面には固定円盤７４の孔７４１に対応した三本の突出ロッド７５１が設けられ、突出ロッド７５１はそれぞれ固定円盤７４の孔７４１内に挿設されている。
【００１６】
操作に関しては、電源を入れてモーター７０を起動すると、減速歯車セット１２４が動き、さらに出力軸６０が逆時計方向に回転し、出力軸６０の歯部６２が逆時計方向に回転したとき、左作動部３０が左に移動し、図８に示すように、第２の弾性部材５２を圧縮する。右作動部２０も同時に右に移動して第１の弾性部材４２を圧縮する。また、図９に示すように、ボルト６４の端部は第１のカム６３の第１の平面部６３１を固定していない。また、出力軸６０が９０度回転してその下端に接続されたバルブ、ピストンまたはその他の開閉装置の開閉状態を操作するとき、第２のカム６６も合わせて９０度回転し、図１０に示すように、第２のカム６６の第２の平面部６６１が微動スイッチ６７に接触したとき、モーター７０は回転を停止し、電磁石７２に通電して磁力を発生させ、図１１に示すように、可動円盤７５を下方に吸着する。突出ロッド７５１が固定円盤７４に支持されることによって、モーター７０は不動状態が保持され、出力軸６０も固定され、第１の弾性部材４２および第２の弾性部材５２も圧縮された状態が保持される。
【００１７】
緊急事態となり、電力供給が遮断されたとき、電磁石７２は磁力を喪失し、ばね７３によって可動円盤７５は上方の元の位置に復位される。このとき、モーター７０と出力軸６０は固定状態から開放され、第１の弾性部材４２および第２の弾性部材５２はそれぞれ右作動部２０と左作動部３０とを元の位置に押し戻す。図７に示すように、ボルト６４端部は再び第１のカム６３の第１の平面部６３１上に固定され、出力軸６０は時計方向に９０度回転できるだけとなり、出力軸６０下端に接続されたバルブ、ピストンまたはその他開閉装置は元の状態に迅速に復位される。
【図面の簡単な説明】
【００１８】
【図１】本考案を示す立体分解図である。
【図２】図１の左作動部を示す側面図である。
【図３】本考案の組立後の状態を示す斜視図である。
【図４】図３の４−４間の断面図である。
【図５】本考案を示す縦断面図である。
【図６】電磁石と可動円盤と固定円盤との連結の状態を示す断面図である。
【図７】ボルトと第１のカムとの位置関係を示す断面図である。
【図８】右作動部および左作動部の位置移動を示す断面図である。
【図９】ボルトの端部が第１のカムを固定していない状態を示す断面図である。
【図１０】第２のカムの第２の平面部が微動スイッチに接触した状態を示す斜視図である。
【図１１】電磁石が可動円盤を吸着した状態を示す断面図である。
【符号の説明】
【００１９】
１０    台座
１１    本体
１１１  右孔
１１２  中孔
１１３  左孔
１１４  台座片
１１５  右軸受
１１６  左軸受
１１７  ねじ穴
１１８  下孔
１２    収容台
１２１  貫通孔
１２２  下部板
１２３  上部板
１２４  減速歯車セット
２０    右作動部
２１    右盤部
２１１  第１のリング溝
２１２  第１のＯリング
２２    第１の盲穴
２３    第１の塊部
２３１  第１の歯合部
３０    左作動部
３１    左盤部
３１１  第２のリング溝
３１２  第２のＯリング
３２    第２の盲穴
３３    第２の塊部
３３１  第２の歯合部
４０    右蓋
４１    第３の盲穴
４２    第１の弾性部材
４３    第１の円形凹溝
４４    第３のＯリング
５０    左蓋
５１    第４の盲穴
５２    第２の弾性部材
５３    第２の円形凹溝
５４    第４のＯリング
６０    出力軸
６１    接合部
６２    歯部
６３    第１のカム
６３１  第１の平面部
６４    ボルト
６５    歯車
６６    第２のカム
６６１  第２の平面部
６７    微動スイッチ
７０    モーター
７１    ロッド部
７２    電磁石
７３    ばね
７４    固定円盤
７４１  孔
７５    可動円盤
７５１  突出ロッド
【図１】
0003116719.tif 000003
【図２】
0003116719.tif 000004
【図３】
0003116719.tif 000005
【図４】
0003116719.tif 000006
【図５】
0003116719.tif 000007
【図６】
0003116719.tif 000008
【図７】
0003116719.tif 000009
【図８】
0003116719.tif 000010
【図９】
0003116719.tif 000011
【図１０】
0003116719.tif 000012
【図１１】
0003116719.tif 000013